(57)【要約】【課題】  自分が現在いるエリアで伝言を登録し、指定した携帯端末のユーザが、その登録したエリアに入ってきた際に自動的に伝言を伝えるサービス形態を実現可能にする情報通知システム、情報通知方法を提供する。【解決手段】  情報の送受信を行う複数の携帯端末（登録者）１０、携帯端末（相手）７０と、携帯端末１０、７０と該情報の送受信を行う基地局２０と、基地局２０間で該情報の送受信を担う交換機３０は、互いにネットワークを形成しており、所定のエリア内の携帯端末に情報通知することを特徴とし、携帯端末１０より送信された伝言を記憶する情報データサービス５０と、該伝言の送受信を制御するサービスサーバ４０とをさらに有し、サービスサーバ４０は、携帯端末１０による指定エリア内の携帯端末７０に該伝言を通知する。そしてその指定エリアは、携帯端末１０が伝言を送信した時点で指定される。【選択図】  図１
2005072827.tif 000002
【特許請求の範囲】
【請求項１】
情報の送受信を行う複数の携帯端末と、
前記携帯端末と該情報の送受信を行う基地局と、
前記基地局間で該情報の送受信を担う交換機は、互いにネットワークを形成しており、
所定のエリア内の携帯端末に情報通知することを特徴とする情報通知システムであって、
第１の携帯端末より送信された伝言を記憶する第１の記憶手段と、
前記第１の記憶手段に記憶されている前記伝言の送受信を制御するサーバとをさらに有し、
前記サーバは、前記第１の携帯端末による指定エリア内にいる第２の携帯端末に前記伝言を通知することを特徴とする情報通知システム。
【請求項２】
前記指定エリアは、前記第１の携帯端末が前記伝言を送信した時点で指定されるエリアであることを特徴とする請求項１に記載の情報通知システム。
【請求項３】
前記第１の携帯端末は、前記伝言の通知対象である第２の携帯端末の識別情報を前記第１の記憶手段に記憶させ、
前記指定エリア内の携帯端末の位置を位置情報として記憶する第２の記憶手段があって、前記第２の記憶手段は、前記第２の携帯端末の識別情報および前記第２の携帯端末の位置情報を記憶することを特徴とし、
前記第２の携帯端末が前記指定エリア内に入ったときに、前記サーバが前記第２の携帯端末の識別情報および前記第２の携帯端末の位置情報を基に、前記第２の携帯端末に前記伝言を通知することを特徴とする請求項１または２に記載の情報通知システム。
【請求項４】
前記第１の携帯端末は、前記伝言の通知対象である第２の携帯端末の識別情報を前記第１の記憶手段に記憶させることなく、
前記指定エリア内の携帯端末の位置を位置情報として記憶する第２の記憶手段があって、前記第２の記憶手段は、前記第２の携帯端末の位置情報を記憶することを特徴とし、
前記第２の携帯端末が前記エリア内に入ったときに、前記サーバが前記第２の携帯端末の位置情報を基に、前記第２の携帯端末に前記伝言を通知することを特徴とする請求項１または２に記載の情報通知システム。
【請求項５】
前記第２の携帯端末が前記伝言を受信した後に、前記第１の携帯端末を呼び出し、通話状態を実現する呼び出し機能があって、
前記第１の携帯端末は、前記伝言を送信した時点で前記呼び出し機能を選択することを特徴とする請求項１から４の何れか１項に記載の情報通知システム。
【請求項６】
情報の送受信を行う複数の携帯端末と、
前記携帯端末と該情報の送受信を行う基地局と、
前記基地局間で該情報の送受信を担う交換機は、互いにネットワークを形成しており、
所定のエリア内の携帯端末に情報通知することを特徴とする情報通知システムにおける情報通知方法であって、
第１の携帯端末が伝言を送信する伝言送信工程と、
第１の記憶手段が、前記第１の携帯端末より送信された伝言を記憶する伝言記憶工程と、
前記第１の記憶手段に記憶されている前記伝言の送受信を制御するサーバが、前記第１の携帯端末による指定エリア内にいる第２の携帯端末に前記伝言を通知する伝言通知工程を有することを特徴とする情報通知方法。
【請求項７】
前記指定エリアは、前記伝言送信工程において指定されるエリアであることを特徴とする請求項６に記載の情報通知方法。
【請求項８】
前記伝言送信工程において、前記第１の携帯端末は、前記伝言の通知対象である第２の携帯端末の識別情報を前記第１の記憶手段に記憶させ、前記伝言記憶工程において、前記第１の記憶手段は前記第２の携帯端末の識別情報を記憶し、
前記指定エリア内の携帯端末の位置を位置情報として記憶する第２の記憶手段があって、前記第２の記憶手段は、前記第２の携帯端末の識別情報および前記第２の携帯端末の位置情報を記憶することを特徴とし、
前記第２の携帯端末が前記指定エリア内に入ったときに、前記伝言通知工程において、前記サーバが前記第２の携帯端末の識別情報および前記第２の携帯端末の位置情報を基に、前記第２の携帯端末に前記伝言を通知することを特徴とする請求項６または７に記載の情報通知方法。
【請求項９】
前記伝言送信工程において、前記第１の携帯端末は、前記伝言の通知対象である第２の携帯端末の識別情報を前記第１の記憶手段に記憶させることなく、
前記指定エリア内の携帯端末の位置を位置情報として記憶する第２の記憶手段があって、前記第２の記憶手段は、前記第２の携帯端末の位置情報を記憶することを特徴とし、
前記第２の携帯端末が前記エリア内に入ったときに、前記伝言通知工程において、前記サーバが前記第２の携帯端末の位置情報を基に、前記第２の携帯端末に前記伝言を通知することを特徴とする請求項６または７に記載の情報通知方法。
【請求項１０】
前記伝言通知工程後に、前記第１の携帯端末を呼び出し、通話状態を実現する呼び出し機能があって、
前記第１の携帯端末は、前記伝言送信工程において、前記呼び出し機能を選択することを特徴とする請求項６から９の何れか１項に記載の情報通知方法。
【発明の詳細な説明】
【技術分野】
【０００１】
本発明は、通信端末利用者の伝言を通知する情報通知システム、情報通知方法に関するものであり、特に指定エリアに入ってきた相手に伝言を通知する情報通知システム、情報通知方法に関する。
【背景技術】
【０００２】
従来、待ち合わせ場所等でその時点で、待ち合わせ相手の携帯端末が圏外や、通話中の場合で、相手がネットワークの提供する留守番電話サービス等にも加入していない場合は、連絡をつける術がなかった。
【０００３】
自分が既に待ち合わせ場所にいるのであれば、待ち合わせに遅れた相手がどこにいるか気になるところであるし、逆に自分が待ち合わせ場所に遅れているのであれば、相手に余計な気遣いをさせないように自分の居場所を知らせたいところである。
【０００４】
そこで連絡をつける術がないものの、代わりに適当にエリア（例えば、上記待ち合わせ場所周辺）を設けておき、相手がそのエリアに入ってきて、相手の居場所を把握するといった方法がある。そして、該エリア内の携帯端末に情報の配信を行う技術を公開しているものがある（特許文献１〜５）。
【特許文献１】特開２０００−１２５３４２号公報
【特許文献２】特開２００１−２１８２６８号公報
【特許文献３】特開２００２−０２７１２１号公報
【特許文献４】特開２００２−２５２８６３号公報
【特許文献５】特許第３０３７２８６号公報
【発明の開示】
【発明が解決しようとする課題】
【０００５】
しかし、特許文献１〜５記載の技術は、相手の居場所をきちんと把握すること、配信する情報の内容を制御することでその情報の価値を高めること、エリア内の送信先を制御したりするといったことに工夫を凝らしたものであり、エリアを設定することの長所を生かしていると思えるが、連絡をつけられない相手に対して何らかの伝言を通知するという要求には応えられていない。
【０００６】
そこで本発明では上記事情を鑑みて、自分が現在いるエリアで伝言を登録し、指定した携帯端末のユーザが、その登録したエリアに入ってきた際に自動的に伝言を伝えるというサービス形態を採り上げ、該サービス形態を実現可能にする情報通知システム、情報通知方法を提供し、所定の伝言通知を図る。
【課題を解決するための手段】
【０００７】
上記目的を実現するため、請求項１に記載の発明は、情報の送受信を行う複数の携帯端末と、前記携帯端末と該情報の送受信を行う基地局と、前記基地局間で該情報の送受信を担う交換機は、互いにネットワークを形成しており、所定のエリア内の携帯端末に情報通知することを特徴とする情報通知システムであって、第１の携帯端末より送信された伝言を記憶する第１の記憶手段と、前記第１の記憶手段に記憶されている前記伝言の送受信を制御するサーバとをさらに有し、前記サーバは、前記第１の携帯端末による指定エリア内にいる第２の携帯端末に前記伝言を通知することを特徴とする。
【０００８】
請求項２に記載の発明は、請求項１に記載の情報通知システムにおいて、前記指定エリアは、前記第１の携帯端末が前記伝言を送信した時点で指定されるエリアであることを特徴とする。
【０００９】
請求項３に記載の発明は、請求項１または２に記載の情報通知システムにおいて、前記第１の携帯端末は、前記伝言の通知対象である第２の携帯端末の識別情報を前記第１の記憶手段に記憶させ、前記指定エリア内の携帯端末の位置を位置情報として記憶する第２の記憶手段があって、前記第２の記憶手段は、前記第２の携帯端末の識別情報および前記第２の携帯端末の位置情報を記憶することを特徴とし、前記第２の携帯端末が前記指定エリア内に入ったときに、前記サーバが前記第２の携帯端末の識別情報および前記第２の携帯端末の位置情報を基に、前記第２の携帯端末に前記伝言を通知することを特徴とする。
【００１０】
請求項４に記載の発明は、請求項１または２に記載の情報通知システムにおいて、前記第１の携帯端末は、前記伝言の通知対象である第２の携帯端末の識別情報を前記第１の記憶手段に記憶させることなく、前記指定エリア内の携帯端末の位置を位置情報として記憶する第２の記憶手段があって、前記第２の記憶手段は、前記第２の携帯端末の位置情報を記憶することを特徴とし、前記第２の携帯端末が前記エリア内に入ったときに、前記サーバが前記第２の携帯端末の位置情報を基に、前記第２の携帯端末に前記伝言を通知することを特徴とする。
【００１１】
請求項５に記載の発明は、請求項１から４の何れか１項に記載の情報通知システムにおいて、前記第２の携帯端末が前記伝言を受信した後に、前記第１の携帯端末を呼び出し、通話状態を実現する呼び出し機能があって、前記第１の携帯端末は、前記伝言を送信した時点で前記呼び出し機能を選択することを特徴とする。
【００１２】
請求項６に記載の発明は、情報の送受信を行う複数の携帯端末と、前記携帯端末と該情報の送受信を行う基地局と、前記基地局間で該情報の送受信を担う交換機は、互いにネットワークを形成しており、所定のエリア内の携帯端末に情報通知することを特徴とする情報通知システムにおける情報通知方法であって、第１の携帯端末が伝言を送信する伝言送信工程と、第１の記憶手段が、前記第１の携帯端末より送信された伝言を記憶する伝言記憶工程と、前記第１の記憶手段に記憶されている前記伝言の送受信を制御するサーバが、前記第１の携帯端末による指定エリア内にいる第２の携帯端末に前記伝言を通知する伝言通知工程を有することを特徴とする。
【００１３】
請求項７に記載の発明は、請求項６に記載の情報通知方法において、前記指定エリアは、前記伝言送信工程において指定されるエリアであることを特徴とする。
【００１４】
請求項８に記載の発明は、請求項６または７に記載の情報通知方法において、前記伝言送信工程において、前記第１の携帯端末は、前記伝言の通知対象である第２の携帯端末の識別情報を前記第１の記憶手段に記憶させ、前記伝言記憶工程において、前記第１の記憶手段は前記第２の携帯端末の識別情報を記憶し、前記指定エリア内の携帯端末の位置を位置情報として記憶する第２の記憶手段があって、前記第２の記憶手段は、前記第２の携帯端末の識別情報および前記第２の携帯端末の位置情報を記憶することを特徴とし、前記第２の携帯端末が前記指定エリア内に入ったときに、前記伝言通知工程において、前記サーバが前記第２の携帯端末の識別情報および前記第２の携帯端末の位置情報を基に、前記第２の携帯端末に前記伝言を通知することを特徴とする。
【００１５】
請求項９に記載の発明は、請求項６または７に記載の情報通知方法において、前記伝言送信工程において、前記第１の携帯端末は、前記伝言の通知対象である第２の携帯端末の識別情報を前記第１の記憶手段に記憶させることなく、前記指定エリア内の携帯端末の位置を位置情報として記憶する第２の記憶手段があって、前記第２の記憶手段は、前記第２の携帯端末の位置情報を記憶することを特徴とし、前記第２の携帯端末が前記エリア内に入ったときに、前記伝言通知工程において、前記サーバが前記第２の携帯端末の位置情報を基に、前記第２の携帯端末に前記伝言を通知することを特徴とする。
【００１６】
請求項１０に記載の発明は、請求項６から９の何れか１項に記載の情報通知方法において、前記伝言通知工程後に、前記第１の携帯端末を呼び出し、通話状態を実現する呼び出し機能があって、前記第１の携帯端末は、前記伝言送信工程において、前記呼び出し機能を選択することを特徴とする。
【００１７】
上記課題を解決するための手段において、第１の携帯端末は図１の携帯端末１０（登録者）に相当し、第２の携帯端末は図２の携帯端末２０（相手）に相当する。情報通知システムのネットワークを形成している基地局、交換機はそれぞれ図１、２の基地局２０、交換機３０に相当する。またサーバ、第１の記憶手段、第２の記憶手段はそれぞれ図１、２のサービスサーバ４０、情報データサービス５０、ＨＬＲ６０に相当する。
【００１８】
さらに、第２の携帯端末の識別情報としては携帯端末２０の携帯端末番号で良く、以下で説明する発明を実施するための最良の形態においてもそのように取り扱っている。
【発明の効果】
【００１９】
本発明によれば、相手が待ち合わせ場所に到着した時点で、伝言を伝えるサービス形態を実現することができる。さらにオプションの伝言後の呼び出しサービスを利用すれば、相手が待ち合わせ場所に到着した事も知る事ができる。
【発明を実施するための最良の形態】
【００２０】
以下、本発明を実施するための最良の形態を図面を参照して説明する。尚、本実施形態は本発明の好適な実施の一例であり、本発明の実施形態は、これに限定されるものではなく、本発明の要旨を逸脱しない範囲において種々変形して実施することが可能である。
【００２１】
＜構成＞
まず、本実施形態に係る通信ネットワークの構成を図１、２のブロック図を用いて説明する。本実施形態では携帯端末を使用した伝言の送受信を行う態様を採り上げる。
【００２２】
図１は、本実施形態に係る登録者の携帯端末１０の通信ネットワークのブロック図である。図１記載の通信ネットワークは、登録者の携帯端末１０と、基地局２０と、交換機３０と、サービスサーバ４０と、情報データベース５０と、ＨＬＲ（ホームロケーションレジスタ）６０により構成されている。
【００２３】
登録者の携帯端末１０は、ユーザがサービス登録要求を行うときに利用するものであり、基地局２０に対し、伝言の送受信に係る一連の信号を送信する。
【００２４】
基地局２０は、登録者の携帯端末１０に対して一連の信号を送受信し、交換機３０との仲介役の役割を果たす。
【００２５】
交換機３０は、基地局２０からの信号を受信し、ユーザからの登録情報（携帯端末１０の登録エリアに関する情報、伝言を伝えたい相手の携帯端末番号）をＨＬＲ６０に蓄積し、また同時にプロバイダのサービスサーバ４０にも通知を行なう。
また交換機３０は、登録された他の携帯端末が登録エリアに入ってきた際に、サービスサーバー４０に通知し、サービスサーバー４０は、携帯端末（相手）７０を呼び出した後、情報データベ−ス５０に蓄積したある伝言を再生する。
さらに交換機３０は、携帯端末１０の登録時の指定により、他の携帯端末から携帯端末１０を呼び出して通話させる、呼び出しサービスの役割も担う。
【００２６】
サービスサーバ４０は、交換機３０からの通知を受け、情報データベース５０に送信する。
またサービスサーバ４０は、登録された他の携帯端末が登録エリアに入ってきた際に、交換機３０からの通知を受け、他の携帯端末を呼び出した後、情報データベ−ス５０に蓄積したある伝言を再生する。
【００２７】
情報データベース５０は、サービスサーバ４０から送信された情報（伝言、伝言を伝えたい相手の携帯番号、登録者の携帯番号など）を蓄積する。必要に応じてサービスサーバ４０に対し、蓄積されたデータを送信する。
【００２８】
ＨＬＲ６０は、交換機３０から受信したユーザからの登録情報を登録しておく箇所である。登録された他の携帯端末が登録エリアに入ってきた際には、位置情報の更新を行う。
【００２９】
図２は、本実施形態に係る相手の携帯端末７０の通信ネットワークのブロック図である。図２記載の通信ネットワークは、相手の携帯端末７０と、基地局２０と、交換機３０と、サービスサーバ４０と、情報データベース５０と、ＨＬＲ（ホームロケーションレジスタ）６０により構成されている。
【００３０】
相手の携帯端末７０は、ユーザが他の携帯端末からのサービス登録要求を受けるときに利用するものであり、基地局２０より、伝言の送受信に係る一連の信号を受信する。
【００３１】
基地局２０は、相手の携帯端末７０に対して一連の信号を送受信し、交換機３０との仲介役の役割を果たす。
【００３２】
交換機３０は、基地局２０からの信号を受信し、ユーザからの登録情報（他の携帯端末の登録エリアに関する情報、相手の携帯端末７０の携帯端末番号）をＨＬＲ６０に蓄積し、また同時にプロバイダのサービスサーバ４０にも通知を行なう。
また交換機３０は、登録された携帯端末７０が登録エリアに入ってきた際に、サービスサーバー４０に通知し、サービスサーバー４０は、相手の携帯端末７０を呼び出した後、情報データベ−ス５０に蓄積したある伝言を再生する。
さらに交換機３０は、他の携帯端末の登録時の指定により、携帯端末７０から他の携帯端末を呼び出して通話させる、呼び出しサービスの役割も担う。
【００３３】
サービスサーバ４０は、交換機３０からの通知を受け、情報データベース５０に送信する。
またサービスサーバ４０は、登録された携帯端末７０が登録エリアに入ってきた際に、交換機３０からの通知を受け、携帯端末７０を呼び出した後、情報データベ−ス５０に蓄積したある伝言を再生する。
【００３４】
情報データベース５０は、サービスサーバ４０から送信された情報（伝言、伝言を伝えたい相手の携帯番号、登録者の携帯番号など）を蓄積する。必要に応じてサービスサーバ４０に対し、蓄積されたデータを送信する。
【００３５】
ＨＬＲ６０は、交換機３０から受信したユーザからの登録情報を登録しておく箇所である。登録された携帯端末７０が登録エリアに入ってきた際には、位置情報の更新を行う。
【００３６】
＜動作＞
次に本実施形態に係る伝言通知の態様を図３のシーケンスチャートを使用して説明する。
【００３７】
ユーザーは、携帯端末（登録者）１０から、伝言の登録及び、伝言を伝えたい相手の携帯端末（相手）７０の電話番号（複数登録及び、全加入者登録可）の登録を行なうため、プロバイダの電話番号をダイアルし、プロバイダの音声ガイドに従い登録を行なう。その登録に伴うデータを最寄りの基地局２０に電波送信する（Ｓ１）。
この時、伝言メッセージを聞かせたあとにユーザの携帯端末（登録者）１０の呼び出しサービスを行うか行わないかの選択も行う。
【００３８】
最寄の基地局２０は、携帯端末（登録者）１０からの電波を受信し、交換機３０に情報を中継する（Ｓ２）。
【００３９】
交換局３０は、基地局２０から情報を受け取り、情報をプロバイダのサービスサーバ４０に中継する（Ｓ３）。
【００４０】
サービスサーバ４０は、交換機３０から受け取った伝言及び伝言を伝えたい相手携帯番号、登録者の携帯番号等を情報データベース５０に蓄積する（Ｓ４）。
【００４１】
また、交換機３０は、登録のあった時点の携帯端末１０のエリア情報、及び、伝言を伝えたい相手携帯端末番号をＨＬＲ６０に登録する（Ｓ５）。
【００４２】
次に、相手の携帯端末（相手）７０が、登録されたエリアに入ると、自動的に基地局２０へ電波を発信する（Ｓ６）。
【００４３】
基地局２０は、相手の携帯端末（相手）７０からの電波を受信し、相手の携帯端末（相手）７０に関する位置情報などを交換機３０に送信する（Ｓ７）。
【００４４】
交換機３０は、基地局２０から情報を受け取り、ＨＬＲ６０に中継し（Ｓ８）、位置情報の更新要求を行う。
【００４５】
ＨＬＲ６０は、相手の携帯端末（相手）７０が登録されたエリアに入って来たことに伴い、位置情報の更新を行う。ここで、交換機３０から更新要求のあった位置情報があらかじめ登録されているエリア情報と一致するかどうか照合を行ない、一致する場合は、交換機３０に通知する（Ｓ９）。
【００４６】
交換機３０は、ＨＬＲ６０から通知を受けると、プロバイダのサービスサーバ４０に通知する（Ｓ１０）。
【００４７】
サービスサーバ４０は、これにより相手の携帯端末（相手）７０が、携帯端末（登録者）１０から登録されたエリアに入った事を認識し、交換機３０、基地局２０を経由し、相手の携帯端末（相手）７０を呼び出す（Ｓ１１〜Ｓ１３）。
その後サービスサーバ４０は、情報データベース５０から携帯端末（登録者）１０の伝言を取り出し（Ｓ１４）、交換機３０、基地局２０を経由し、相手の携帯端末（相手）７０にその伝言を通知する（Ｓ１５〜Ｓ１７）。
【００４８】
もしＳ１にて、つまり携帯端末（登録者）１０からの登録時にて、携帯端末（登録者）１０が伝言後の呼び出しサービスを行う選択をしていた場合には、相手の携帯端末（相手）７０は伝言終了後、基地局２０、交換機３０を経由して、携帯端末（登録者）１０を呼び出した後（Ｓ１８〜Ｓ２１）、携帯端末（相手）７０と接続を行い通話できるようにする。
【００４９】
以上の手順を踏むことで、携帯端末（相手）７０が待ち合わせ場所に到着した時点で、伝言を伝えることができる。
オプションの伝言後の呼び出しサービスを利用すれば、携帯端末（登録者）１０は、携帯端末（相手）７０が待ち合わせ場所に到着した事も知る事ができる。
従って携帯端末１０の登録者は待ち合わせに遅れた携帯端末（相手）７０とその時点で連絡がとれなくても、携帯端末７０の相手が待ち合わせ場所に到着した時点で伝言を伝える事ができる。
特に携帯端末７０の相手が多人数の場合は、全員に各々連絡しなくても、同じ伝言を伝える事ができる。
また、相手が携帯電話７０の電源を切っていて連絡がつかなかった場合も、待ち合わせ場所に到着後は相手も連絡を取ろうとして、携帯電話の電源を入れる可能性が非常に高いので、伝言を伝えられる確率も非常に高くなる。
【実施例１】
【００５０】
招待客の携帯端末に、最寄駅エリアや目標物エリアから会場や自宅への案内の情報を伝えることが可能である。つまり上記最良の形態において、携帯端末７０は招待客の携帯端末に相当し、携帯端末１０の設定する登録エリアは最寄り駅エリアや目標物エリアに相当し、携帯端末１０が登録する伝言は会場や自宅への案内の情報に相当する。
会場や自宅への案内の情報として、最寄駅、目標物から会場、自宅までの地図が描かれているデータを付け加えれば、効果的な案内が望める。
【実施例２】
【００５１】
通知相手を指定せずに、指定したエリアに入ってきた携帯端末全てに伝言を配信することが可能であり、イベント会場近くでの宣伝、案内を行ったり、迷子犬の情報の協力を求めたりすることもできる。つまり上記最良の形態において、携帯端末（相手）７０は任意のユーザに相当し、携帯端末（登録者）１０が指定したエリアとしては、例えばイベント会場を中心とした所定範囲のエリアであったり、迷子犬の見つかりそうな場所を中心とした所定範囲のエリアであったりするが、別にこれに限らない。
【図面の簡単な説明】
【００５２】
【図１】本実施形態に係る登録者の携帯端末１０の通信ネットワークのブロック図である。
【図２】本実施形態に係る相手の携帯端末７０の通信ネットワークのブロック図である。
【図３】本実施形態に係る伝言通知の態様のシーケンスチャートである。
【符号の説明】
【００５３】
１０、７０    携帯端末
２０    基地局
３０    交換機
４０    サービスサーバ
５０    情報データベース
６０    ＨＬＲ
【図１】
2005072827.tif 000003
【図２】
2005072827.tif 000004
【図３】
2005072827.tif 000005